Podtech/llm-jp-corpus-v4-ja_patent huggingface dataset:
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
外部装置と通信可能な画像形成装置であって、ユーザに情報を表示する表示部と、データを記憶する記憶部と、シートに画像を形成する画像形成部と、を備える画像形成装置であって、
前記外部装置に格納された印刷データに関連付くユーザ情報を取得する第１の取得手段と、
前記記憶部に格納された印刷データに関連付くユーザ情報を取得する第２の取得手段と、
前記外部装置に格納された印刷データに関連付くユーザのアイコンと、前記記憶部に格納された印刷データに関連付くユーザのアイコンと、を含む第１の画面を前記表示部に表示させる第１の表示手段と、
前記第１の画面において対応するアイコンが選択されたユーザに関連付く印刷データの識別情報を含む第２の画面を前記表示部に表示させる第２の表示手段と、
前記第２の画面において対応する識別情報が選択された印刷データに基づく画像形成を前記画像形成部に実行させる実行手段と、
を有することを特徴とする画像形成装置。
【請求項２】
条件を受け付ける受付手段、をさらに備え、
前記第１の表示手段は、前記受付手段により受け付けた条件を満たすユーザのアイコンを表示し、
前記第１の表示手段により表示されるアイコンは、前記外部装置に格納された印刷データに関連付くユーザのアイコンと、前記記憶部に格納された印刷データに関連付くユーザのアイコンと、を含む、
ことを特徴とする請求項１に記載の画像形成装置。
【請求項３】
前記受付手段は、複数の条件を選択的に受付可能であることを特徴とする請求項２に記載の画像形成装置。
【請求項４】
前記複数の条件は、前記画像形成装置を含むネットワークにおいて管理されているユーザであることを含む、ことを特徴とする請求項３に記載の画像形成装置。
【請求項５】
前記複数の条件は、前記画像形成装置を含むネットワークにおいてジョブを保持しているユーザであることを含む、ことを特徴とする請求項３に記載の画像形成装置。
【請求項６】
前記第１の表示手段は、ユーザの情報に基づく優先順位で、ユーザのアイコンを表示することを特徴とする請求項１乃至５のいずれか１項に記載の画像形成装置。
【請求項７】
前記ユーザの情報は、ユーザがジョブを保持している装置、ユーザがジョブを実行した装置、ユーザの装置の利用頻度、のうち少なくともいずれかを含むことを特徴とする請求項６に記載の画像形成装置。
【請求項８】
前記ユーザの情報は、前記ユーザの情報を管理する装置から取得されることを特徴とする請求項６又は７に記載の画像形成装置。
【請求項９】
前記画像形成部が前記選択された印刷データに基づく画像形成を実行した後、当該実行の履歴情報を前記ユーザの情報として前記ユーザの情報を管理する装置に送信する送信手段、をさらに備えることを特徴とする請求項８に記載の画像形成装置。
【請求項１０】
外部装置と通信可能な画像形成装置であって、ユーザに情報を表示する表示部と、データを記憶する記憶部と、シートに画像を形成する画像形成部と、を備える画像形成装置において実行される表示方法であって、
前記外部装置に格納された印刷データに関連付くユーザ情報を取得する第１の取得工程と、
前記記憶部に格納された印刷データに関連付くユーザ情報を取得する第２の取得工程と、
前記外部装置に格納された印刷データに関連付くユーザのアイコンと、前記記憶部に格納された印刷データに関連付くユーザのアイコンと、を含む第１の画面を前記表示部に表示させる第１の表示工程と、
前記第１の画面において対応するアイコンが選択されたユーザに関連付く印刷データの識別情報を含む第２の画面を前記表示部に表示させる第２の表示工程と、
前記第２の画面において対応する識別情報が選択された印刷データに基づく画像形成を前記画像形成部に実行させる実行工程と、
を有することを特徴とする表示方法。
【請求項１１】
請求項１乃至９のいずれか１項に記載の画像形成装置の各手段としてコンピュータを機能させるためのプログラム。
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
識別情報の変動表示を行う識別情報表示手段を備え、識別情報の変動表示の表示結果が特定表示結果となったことに基づいて、遊技者にとって有利な特別遊技が実行可能となる遊技機であって、
識別情報の変動表示に伴って所定の演出表示を行う演出表示手段と、
前記演出表示手段の演出表示を制御する演出制御手段と、
を備え、
前記演出制御手段は、
前記演出表示手段における表示領域を複数の領域に分割して該複数の領域の各々で所定画像の変動表示を実行可能であり、
前記複数の領域の各々で変動表示が終了したときの所定画像の表示態様に応じて、前記複数の領域の全部または一部で、再度、所定画像の変動表示を実行可能である
ことを特徴とする遊技機。
【請求項２】
前記複数の領域の各々で変動表示が終了したときの所定画像の表示態様が第１表示態様である場合、前記複数の領域の全部で、再度、所定画像の変動表示を実行する
ことを特徴とする請求項１に記載の遊技機。
【請求項３】
前記複数の領域の各々で変動表示が終了したときの所定画像の表示態様が第２表示態様である場合、前記複数の領域の一部で、再度、所定画像の変動表示を実行する
ことを特徴とする請求項１又は２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、手段１の遊技機は、
識別情報の変動表示を行う識別情報表示手段を備え、識別情報の変動表示の表示結果が特定表示結果となったことに基づいて、遊技者にとって有利な特別遊技が実行可能となる遊技機であって、
識別情報の変動表示に伴って所定の演出表示を行う演出表示手段と、
前記演出表示手段の演出表示を制御する演出制御手段と、
を備え、
前記演出制御手段は、
前記演出表示手段における表示領域を複数の領域に分割して該複数の領域の各々で所定画像の変動表示を実行可能であり、
前記複数の領域の各々で変動表示が終了したときの所定画像の表示態様に応じて、前記複数の領域の全部または一部で、再度、所定画像の変動表示を実行可能である
ことを要旨とする。
また、手段２の遊技機は、前述した手段１の遊技機において、
前記複数の領域の各々で変動表示が終了したときの所定画像の表示態様が第１表示態様である場合、前記複数の領域の全部で、再度、所定画像の変動表示を実行する
ことを要旨とする。
また、手段３の遊技機は、前述した手段１又は２の遊技機において、
前記複数の領域の各々で変動表示が終了したときの所定画像の表示態様が第２表示態様である場合、前記複数の領域の一部で、再度、所定画像の変動表示を実行する
ことを要旨とする。
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
識別情報の変動表示を行う識別情報表示手段を備え、識別情報の変動表示の表示結果が特定表示結果となったことに基づいて、遊技者にとって有利な特別遊技が実行可能となる遊技機であって、
識別情報の変動表示に伴って演出表示を行う演出表示手段と、
前記演出表示手段の演出表示を制御する演出制御手段と、
を備え、
前記演出制御手段は、前記演出表示手段における表示領域を複数の領域に分割して該複数の領域の各々で所定の演出表示を行い該演出表示の結果により所定情報を報知する報知演出表示を実行可能である
ことを特徴とする遊技機。
【請求項２】
前記演出制御手段は、前記報知演出表示において、前記複数の領域の各々での演出表示の結果に応じて、前記複数の領域の全部または一部で、再度、所定の演出表示を行うことがある
ことを特徴とする請求項１に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、手段１の遊技機は、
識別情報の変動表示を行う識別情報表示手段を備え、識別情報の変動表示の表示結果が特定表示結果となったことに基づいて、遊技者にとって有利な特別遊技が実行可能となる遊技機であって、
識別情報の変動表示に伴って演出表示を行う演出表示手段と、
前記演出表示手段の演出表示を制御する演出制御手段と、
を備え、
前記演出制御手段は、前記演出表示手段における表示領域を複数の領域に分割して該複数の領域の各々で所定の演出表示を行い該演出表示の結果により所定情報を報知する報知演出表示を実行可能である
ことを要旨とする。
また、手段２の遊技機は、前述した手段１の遊技機において、
前記演出制御手段は、前記報知演出表示において、前記複数の領域の各々での演出表示の結果に応じて、前記複数の領域の全部または一部で、再度、所定の演出表示を行うことがある
ことを要旨とする。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
識別情報を表示可能な識別情報表示部と、
遊技の進行を制御する主制御部と、
演出を表示可能な演出表示部と、
演出の制御を行う副制御部と
を備え、
主制御部は、
始動口への入球に基づき、乱数を取得する乱数取得手段と、
乱数取得手段により乱数が取得された場合、識別情報の変動表示開始条件を充足するまで当該取得された乱数を一時記憶して、保留が生起するよう制御する乱数一時記憶手段と、
ある保留に関する識別情報の変動表示開始条件を充足した場合において、当該ある保留に係る前記乱数に基づき当否判定結果と識別情報の停止表示態様と識別情報の変動表示態様とを決定する遊技内容決定手段と、
遊技内容決定手段による決定に従い、識別情報表示部にて識別情報を変動表示させた後に識別情報を停止表示させるよう制御する識別情報表示制御手段と、
乱数に基づく当否判定結果が当選であって識別情報が停止表示された後において、遊技者にとって有利な特別遊技を実行する特別遊技制御手段と、
副制御部側で実行される演出の制御に必要な遊技情報を副制御部側へ送信する遊技情報送信手段と
を備え、
副制御部は、
主制御部側から送信された遊技情報を受信する遊技情報受信手段と、
遊技情報受信手段により受信された遊技情報に基づき、演出表示部にて演出画像を表示可能な演出表示制御手段と
を備え、
前記変動表示態様は、主変動表示態様のみで構成される変動表示態様、又は、主変動表示態様と主変動表示態様に付加される変動付加表示態様とから構成される変動表示態様のいずれかで構成され、
識別情報の主変動表示態様として所定の主変動表示態様が決定された場合には、当該識別情報の変動表示態様として主変動表示態様に変動付加表示態様が付加され得るよう構成されており、
主制御部は、保留が生起した場合に、当該保留に関する識別情報の変動表示開始条件を充足した際に予定されている識別情報の主変動表示態様と変動付加表示態様とを事前判定し得るよう構成されており、
主制御部は、前記遊技情報として、前記識別情報の主変動表示態様と変動付加表示態様との事前判定結果を副制御部側へ送信し得るよう構成されており、
前記演出表示制御手段は、前記識別情報の前記変動表示態様による期間において、１回のみ表示可能となる特定演出を実行可能である
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
遊技球が入球可能な始動口と、
識別情報を表示可能な識別情報表示部と、
遊技の進行を制御する主制御部と、
演出を表示可能な演出表示部と、
演出の制御を行う副制御部と
を備え、
主制御部は、
始動口への入球に基づき、乱数を取得する乱数取得手段と、
乱数取得手段により乱数が取得された場合、識別情報の変動表示開始条件を充足するまで当該取得された乱数を一時記憶して、保留が生起するよう制御する乱数一時記憶手段と、
ある保留に関する識別情報の変動表示開始条件を充足した場合において、当該ある保留に係る前記乱数に基づき当否判定結果と識別情報の停止表示態様と識別情報の変動表示態様とを決定する遊技内容決定手段と、
遊技内容決定手段による決定に従い、識別情報表示部にて識別情報を変動表示させた後に識別情報を停止表示させるよう制御する識別情報表示制御手段と、
乱数に基づく当否判定結果が当選であって識別情報が停止表示された後において、遊技者にとって有利な特別遊技を実行する特別遊技制御手段と、
副制御部側で実行される演出の制御に必要な遊技情報を副制御部側へ送信する遊技情報送信手段と
を備え、
副制御部は、
主制御部側から送信された遊技情報を受信する遊技情報受信手段と、
遊技情報受信手段により受信された遊技情報に基づき、演出表示部にて演出画像を表示可能な演出表示制御手段と
を備え、
前記変動表示態様は、主変動表示態様のみで構成される変動表示態様、又は、主変動表示態様と主変動表示態様に付加される変動付加表示態様とから構成される変動表示態様のいずれかで構成され、
識別情報の主変動表示態様として所定の主変動表示態様が決定された場合には、当該識別情報の変動表示態様として主変動表示態様に変動付加表示態様が付加され得るよう構成されており、
主制御部は、保留が生起した場合に、当該保留に関する識別情報の変動表示開始条件を充足した際に予定されている識別情報の主変動表示態様と変動付加表示態様とを事前判定し得るよう構成されており、
主制御部は、前記遊技情報として、前記識別情報の主変動表示態様と変動付加表示態様との事前判定結果を副制御部側へ送信し得るよう構成されており、
前記演出表示制御手段は、前記識別情報の前記変動表示態様による期間において、１回のみ表示可能となる特定演出を実行可能である
ことを特徴とするぱちんこ遊技機である。
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
方法であって、
第１導電要素及び第２導電要素を使用して、ソーラーセル（１４）と、前記ソーラーセルが取り付けられている基板（１２）との間に電気的接続を形成することを含み、前記電気的接続を形成することが、
前記第１導電要素と前記第２導電要素と（７６）、（６８）、（３２）、（３４）の間にナノ金属材料（６０）を挿入することと、
前記第１導電要素と前記第２導電要素と（７６）、（６８）、（３２）、（３４）の間に前記電気的接続を形成するよう、前記ナノ金属材料（６０）を加熱することとを含む、方法。
【請求項２】
前記第１導電要素及び前記第２導電要素が、前記基板上の金属ホイルの相互接続子（７６）及び表面層（６８）を含む、請求項１に記載の方法。
【請求項３】
前記表面層（６８）がめっきされた表面層である、請求項２に記載の方法。
【請求項４】
前記第１導電要素及び第２導電要素（７６）、（６８）が、前記ソーラーセル（１４）上の金属ホイルの相互接続子及び前面接点又は背面接点（３２）、（３４）を含む、請求項１から３のいずれか一項に記載の方法。
【請求項５】
前記ナノ金属材料（６０）が、前記電気的接続を形成するために固体と溶和または融和する、金（Ａｕ）、銅（Ｃｕ）、銀（Ａｇ）、及びアルミニウム（Ａｌ）のうちの一又は複数のナノ粒子を含む、ナノ金属のペースト又はインクを含む、請求項１から４のいずれか一項に記載の方法。
【請求項６】
前記ナノ粒子が約１００ｎｍ未満のサイズを有する、請求項５に記載の方法。
【請求項７】
前記ナノ粒子が約０．５〜１０ｎｍの範囲内のサイズを有する、請求項５に記載の方法。
【請求項８】
前記ナノ金属材料（６０）が、Ａｇピースの間に置かれたＡｕ、Ｃｕ、Ａｇ、またはＡｌのナノ粒子を含む、請求項５に記載の方法。
【請求項９】
前記ナノ金属材料（６０）が、摂氏約１５０〜２５０度の溶解温度または固化温度を有する、請求項１から８のいずれか一項に記載の方法。
【請求項１０】
前記ナノ金属材料（６０）が、摂氏約１７５〜２２５度の溶解温度または固化温度を有する、請求項１から８のいずれか一項に記載の方法。
【請求項１１】
前記ナノ金属材料（６０）が合金ではない、請求項１から１０のいずれか一項に記載の方法。
【請求項１２】
第１導電要素及び第２導電要素（７６）、（６８）、（３２）、（３４）を使用してソーラーセル（１４）と、前記ソーラーセルが取り付けられている基板（１２）との間に形成された電気的接続を備える、物品であって、前記電気的接続が、
前記第１導電要素と前記第２導電要素と（７６）、（６８）、（３２）、（３４）の間に挿入されたナノ金属材料（６０）を備え、
前記ナノ金属材料が、前記第１導電要素と前記第２導電要素と（７６）、（６８）、（３２）、（３４）の間に前記電気的接続を形成する、加熱されたナノ金属材料（６０）である、物品。
【請求項１３】
少なくとも１つのソーラーセル、及び、前記ソーラーセルが取り付けられている基板からなる、ソーラーセルアレイと、
前記ソーラーセルアレイの第１導電要素及び第２導電要素を使用して前記ソーラーセルと前記ソーラーセルが取り付けられている前記基板との間に形成された電気的接続とを備える、ソーラーセルパネルであって、前記電気的接続が、
前記第１導電要素と前記第２導電要素との間に挿入されたナノ金属材料を備え、
前記ナノ金属材料が、前記第１導電要素と前記第２導電要素との間に前記電気的接続を形成する、加熱されたナノ金属材料である、ソーラーセルパネル。
【請求項１４】
方法であって、
ソーラーセルと基板との間に電気的接続を形成することを含み、電気的接続を形成することが、
前記ソーラーセルの前面と背面との間の前記ソーラーセル内に貫通穴を作り出すことと、
前記ソーラーセルの前記前面から前記背面までビアを作り出し、それによって、前記ソーラーセルの前記前面から前記背面まで電流を導通させるために、前記貫通穴の内部に導電層を堆積させることと、
前記電気的接続を形成するよう、前記ビアを前記基板のトレースに接続することとを含む、方法。
【請求項１５】
前記導電層が堆積される前に、前記ソーラーセルの前記前面と前記背面との間の前記ソーラーセル内の前記貫通穴の内部を不動態化することと、
前記貫通穴が不動態化された後、前記導電層が堆積される前に、前記貫通穴の内部に絶縁層を堆積させることとを更に含み、
前記絶縁層が、前記ソーラーセルの前面表面または背面表面の、前記貫通穴に隣接する部分を覆う、請求項１４に記載の方法。
【請求項１６】
ソーラーセルと基板との間の電気的接続を備える、物品であって、前記電気的接続が、
前記ソーラーセルの前面と背面との間の前記ソーラーセル内に作り出された、貫通穴と、
前記ソーラーセルの前記前面から前記背面までビアを作り出し、それによって、前記ソーラーセルの前記前面から前記背面まで電流を導通させるために、前記貫通穴の内部に堆積された導電層とを備え、
前記ビアが、前記電気的接続を形成するよう、前記基板のトレースに接続されている、物品。
【請求項１７】
少なくとも１つのソーラーセル及び前記ソーラーセル用の基板からなる、ソーラーセルアレイ、及び、
前記ソーラーセルと前記基板との間の電気的接続を備える、ソーラーセルパネルであって、前記電気的接続が、
前記少なくとも１つのソーラーセルの前面と背面との間の前記ソーラーセル内に作り出された、貫通穴と、
前記ソーラーセルの前記前面から前記背面までビアを作り出し、それによって、前記ソーラーセルの前記前面から前記背面まで電流を導通させるために、前記貫通穴の内部に堆積された導電層とを備え、
前記ビアが、前記電気的接続を形成するよう、前記基板のトレースに接続されている、ソーラーセルパネル。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
シークバー操作を検出するクライアントからインデックスに含まれる各参照の内の１つの参照外しに応じて、前記参照外しに対応するコンテンツのセグメントを前記クライアントに配信するサーバと、
前記シークバー操作を検出し、前記シークバー操作と対応する前記参照外しを実施して、前記セグメントをダウンロードする前記クライアントと、を備え、
前記シークバー操作を検出するシステムに用いる前記サーバを実現させることを特徴とする方法。
【請求項２】
請求項１に記載のシステムに用いる前記クライアントを実現させることを特徴とする方法。
【請求項３】
請求項１に記載のシステムに用いる前記クライアントのプロセッサを、
前記シークバー操作を検出し、前記シークバー操作と対応する前記参照外しを実施して、前記セグメントをダウンロードする手段として機能させるための制御プログラム。
【手続補正２】
【補正対象書類名】明細書
【補正対象項目名】０００６
【補正方法】変更
【補正の内容】
【０００６】
上記課題を解決するため本発明のシステムは、シークバー操作を検出するクライアントからインデックスに含まれる各参照の内の１つの参照外しに応じて、前記参照外しに対応するコンテンツのセグメントを前記クライアントに配信するサーバと、前記シークバー操作を検出し、前記シークバー操作と対応する前記参照外しを実施して、前記セグメントをダウンロードする前記クライアントと、を備え、前記シークバー操作を検出することを特徴とする。V
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機において、
設定操作手段の操作にもとづいて設定値を設定する設定状態の制御を行う設定状態制御手段と、
前記設定状態において特定の表示を行う特定表示手段と、
演出の実行に用いられる演出手段と、
電力供給が停止してもバックアップデータを所定期間保持可能なバックアップ記憶手段と、
電力供給が開始したときに前記バックアップ記憶手段により保持されているバックアップデータにもとづいて電力供給停止前の状態に復帰させる復帰手段と、
処理の進行を遅延させる遅延処理を実行する遅延手段とを備え、
前記設定状態のときに電力供給が停止し、かつ電力供給が開始したときに前記バックアップデータにもとづいて前記復帰手段により前記設定状態に復帰される場合には、前記特定表示手段による前記特定の表示が再開した後に前記遅延処理を実行し、該遅延処理の実行後に前記設定操作手段が操作されているかを判定し、
前記演出手段は、前記設定状態であることを示す報知演出を実行可能であり、該報知演出を前記設定操作手段が操作されているかの判定が行われた以降に開始する、遊技機。
【手続補正２】
【補正対象書類名】明細書
【補正対象項目名】０００７
【補正方法】変更
【補正の内容】
【０００７】
上記課題を解決するために、本発明の遊技機は、
遊技を行うことが可能な遊技機（例えば、スロットマシン１、パチンコ遊技機１）において、
設定操作手段（例えば、リセット／設定スイッチ３８、スタートスイッチ７）の操作にもとづいて設定値を設定する設定状態の制御を行う設定状態制御手段（例えば、図６および図７の処理を行う部分）と、
前記設定状態において特定の表示を行う特定表示手段（例えば、遊技補助表示器１２、設定値表示器２４）と、
演出の実行に用いられる演出手段と、
電力供給が停止してもバックアップデータを所定期間保持可能なバックアップ記憶手段（例えば、ＲＡＭ４１ｃ）と、
電力供給が開始したときに前記バックアップ記憶手段により保持されているバックアップデータにもとづいて電力供給停止前の状態に復帰させる復帰手段（例えば、図５の処理を行う部分）と、
処理の進行を遅延させる遅延処理を実行する遅延手段とを備え、
前記設定状態のときに電力供給が停止し、かつ電力供給が開始したときに前記バックアップデータにもとづいて前記復帰手段により前記設定状態に復帰される場合には、前記特定表示手段による前記特定の表示が再開した後に前記遅延処理を実行し、該遅延処理の実行後に前記設定操作手段が操作されているかを判定し（例えば、図６のＳｃ５の処理以降で電断復帰したときは、Ｓｃ５を行った後にＳｃ８，Ｓｃ１３，Ｓｃ１８のいずれかでＹと判定されたときにＳｃ６の処理を行ってＳｃ７でＹと判定されたときにＳｃ１２及びＳｃ１７に進む部分、図２２に示す部分）、
前記演出手段は、前記設定状態であることを示す報知演出を実行可能であり、該報知演出を前記設定操作手段が操作されているかの判定が行われた以降に開始する。
この構成によれば、誤った操作が行われることを抑止できる。
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機において、
エラーとして予め定められた所定の事象が発生したときに、遊技の進行を停止させるエラー状態に制御するエラー状態制御手段と、
前記エラー状態を解除して遊技の進行を再開させるために操作されるエラー解除操作手段と、
前記エラー解除操作手段が操作されたときに、前記エラー状態を解除して、該エラー状態の発生前の状態から遊技の進行を再開させるエラー解除手段と、
演出の実行に用いられる演出手段と、
前記エラー状態において、前記エラー状態に関する表示を行うエラー状態関連表示手段と、
電力供給が停止してもバックアップデータを所定期間保持可能なバックアップ記憶手段と、
電力供給が開始したときに前記バックアップ記憶手段により保持されているバックアップデータにもとづいて電力供給停止前の状態に復帰させる復帰手段と、
処理の進行を遅延させる遅延処理を実行する遅延手段とを備え、
前記エラー状態のときに電力供給が停止し、かつ電力供給が開始したときに前記バックアップデータにもとづいて前記復帰手段により前記エラー状態に復帰される場合には、前記エラー状態関連表示手段による表示が再開した後に前記遅延処理を実行し、該遅延処理の実行後に前記エラー解除操作手段が操作されているかを判定し、
前記演出手段は、前記エラー状態であることを示す報知演出を実行可能であり、該報知演出を前記エラー解除操作手段が操作されているかの判定が行われた以降に開始する、遊技機。
【手続補正２】
【補正対象書類名】明細書
【補正対象項目名】０００７
【補正方法】変更
【補正の内容】
【０００７】
上記課題を解決するために、本発明の遊技機は、
遊技を行うことが可能な遊技機（例えば、スロットマシン１、パチンコ遊技機１）において、
エラーとして予め定められた所定の事象が発生したときに、遊技の進行を停止させるエラー状態に制御するエラー状態制御手段（例えば、図１１のＳｋ２６の処理を行う部分）と、
前記エラー状態を解除して遊技の進行を再開させるために操作されるエラー解除操作手段（例えば、リセットスイッチ２３、リセット／設定スイッチ３８）と、
前記エラー解除操作手段が操作されたときに、前記エラー状態を解除して、該エラー状態の発生前の状態から遊技の進行を再開させるエラー解除手段（例えば、図９のＳｂ１７の処理を行う部分）と、
演出の実行に用いられる演出手段と、
前記エラー状態において、前記エラー状態に関する表示を行うエラー状態関連表示手段（例えば、遊技補助表示器１２）と、
電力供給が停止してもバックアップデータを所定期間保持可能なバックアップ記憶手段（例えば、ＲＡＭ４１ｃ）と、
電力供給が開始したときに前記バックアップ記憶手段により保持されているバックアップデータにもとづいて電力供給停止前の状態に復帰させる復帰手段（例えば、図５の処理を行う部分）と、
処理の進行を遅延させる遅延処理を実行する遅延手段とを備え、
前記エラー状態のときに電力供給が停止し、かつ電力供給が開始したときに前記バックアップデータにもとづいて前記復帰手段により前記エラー状態に復帰される場合には、前記エラー状態関連表示手段による表示が再開した後に前記遅延処理を実行し、該遅延処理の実行後に前記エラー解除操作手段が操作されているかを判定し（例えば、図９のＳｂ５の処理を行った後にＳｂ６の処理を行ってＳｂ７でＹと判定されたときにＳｂ１０及びＳｂ１１に進む部分）、
前記演出手段は、前記設定変更状態であることを示す報知演出を実行可能であり、該報知演出を前記設定操作手段が操作されているかの判定が行われた以降に開始する。
この構成によれば、誤った操作が行われることを抑止できる。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
ティースに巻き回された巻線で構成されたコイルを複数備えたモータであって、
給電部側に位置するコイルの巻線はモールド材でモールドされており、
前記給電部側に位置するコイルの巻線をモールドする前記モールド材の誘電率は、給電部側以外に位置する前記コイルのコイル巻線の周囲の誘電率より高い
ことを特徴とするモータ。
【請求項２】
給電部側以外に位置する前記コイルの巻線の少なくとも一つはモールド材でモールドされており、
前記給電部側に位置するコイルの巻線をモールドするモールド材の誘電率は、
前記給電部側以外に位置するコイルの巻線をモールドするモールド材の誘電率より高い
ことを特徴とする請求項１に記載のモータ。
【請求項３】
前記給電部側に位置するコイルの巻線とティースとの間に位置するモールド材の厚さが、
前記給電部側以外に位置するコイルの巻線とティースとの間に位置するモールド材の厚さより厚い
ことを特徴とする請求項２に記載のモータ。
【請求項４】
前記給電部側に位置するコイルの巻線をモールドするモールド材の誘電率が、前記給電部
側以外に位置するコイルの巻線の周囲の誘電率の１．５倍以上５倍以下である
ことを特徴とする請求項１〜３のいずれか１項に記載のモータ。
【請求項５】
ティースに巻き回された巻線で構成されたコイルを複数備えたモータの製造方法であって、
給電部側に位置するコイルの巻線はモールド材でモールドされる工程を有し、
前記給電部側に位置するコイルの巻線をモールドする前記モールド材の誘電率は、給電部側以外に位置する前記コイルのコイル巻線の周囲の誘電率より高い
ことを特徴とするモータの製造方法。
【手続補正２】
【補正対象書類名】明細書
【補正対象項目名】発明の名称
【補正方法】変更
【補正の内容】
【発明の名称】モータおよびモータの製造方法
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
臓器をＸ線ＣＴ撮影して得られる複数枚の２次元画像を構成する画像データを処理する画像処理装置であって、
前記複数枚の２次元画像は、それぞれ、分割された複数の領域からなり、
前記画像データは、前記複数枚の２次元画像に順次付された識別番号と、前記複数枚の２次元画像上の前記複数の領域のそれぞれの座標情報および濃淡情報と、を含み、
前記識別番号と前記座標情報と前記濃淡情報との対応関係と、前記臓器の形状データと、を記憶する記憶部と、
前記記憶部によって記憶された前記識別番号と前記座標情報と前記濃淡情報と、前記臓器の形状データと、の比較結果に基づいて、前記領域の属性情報を決定する属性決定部と、
前記属性決定部によって決定された前記属性情報を、前記領域に関連付ける属性付加部と、を備えることを特徴とする画像処理装置。
【請求項２】
請求項１に記載の画像処理装置において、
前記領域は、前記複数枚の２次元画像上の１ピクセルに対応することを特徴とする画像処理装置。
【請求項３】
請求項１または２に記載の画像処理装置において、
前記属性付加部は、前記属性決定部によって決定された前記属性情報を、明部および暗部が所定の規則に従って配列される２次元コード記号に変換するとともに、前記領域の全体の濃淡に応じて、前記明部および暗部の濃淡を調整することを特徴とする画像処理装置。
【請求項４】
請求項３に記載の画像処理装置において、
前記属性付加部は、前記２次元コード記号を構成するすべての前記明部および暗部の濃淡の平均値が、前記領域の全体の濃淡と一致するように、前記明部および暗部の濃淡を調整することを特徴とする画像処理装置。
【手続補正２】
【補正対象書類名】明細書
【補正対象項目名】０００５
【補正方法】変更
【補正の内容】
【０００５】
本発明の一態様は、臓器をＸ線ＣＴ撮影して得られる複数枚の２次元画像を構成する画像データを処理する画像処理装置であって、複数枚の２次元画像は、それぞれ、分割された複数の領域からなり、画像データは、複数枚の２次元画像に順次付された識別番号と、複数枚の２次元画像上の複数の領域のそれぞれの座標情報および濃淡情報と、を含み、識別番号と座標情報と濃淡情報との対応関係と、臓器の形状データと、を記憶する記憶部と、記憶部によって記憶された識別番号と座標情報と濃淡情報と、臓器の形状データと、の比較結果に基づいて、領域の属性情報を決定する属性決定部と、属性決定部によって決定された属性情報を、領域に関連付ける属性付加部と、を備えることを特徴とする。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
基材の一方の面に熱膨張性材料を含む熱膨張層が形成された樹脂成形シートを用い、前記樹脂成形シートの一方の面に電磁波を熱に変換する熱変換層を形成する第１の形成工程と、
前記熱変換層が形成された側から前記電磁波を照射し、前記熱膨張層を膨張させて凸部を形成する第１の膨張工程と、
前記凸部にカラーインク層を形成する第２の形成工程と、
前記基材の一方の面と反対の面に、前記熱変換層を形成する第３の形成工程と、
前記反対の面に形成された前記熱変換層に対して前記電磁波を照射し、前記熱膨張層を膨張させて当該反対の面に凹部を形成する第２の膨張工程と、
を備え、
前記第２の膨張工程において、前記基材を前記熱膨張層の膨張に追従して変形させ、前記基材をエンボス状に変形させる、
ことを特徴とする造形物の製造方法。
【請求項２】
前記基材は、前記第２の膨張工程において前記反対の面に前記凹部を形成する際、前記熱膨張層の追従に伴って、当該基材の変形量を前記熱膨張層の膨張高さより大きくなる、
ことを特徴とする請求項１に記載の造形物の製造方法。
【請求項３】
前記基材の厚みは、前記熱膨張層の厚みと同じ、又は前記熱膨張層より厚い、
ことを特徴とする請求項１又は２に記載の造形物の製造方法。
【請求項４】
前記基材は、熱可塑性樹脂から形成される、
ことを特徴とする請求項１乃至３のいずれか１項に記載の造形物の製造方法。
【請求項５】
前記第３の形成工程で形成される前記熱変換層の面積は、前記第１の形成工程で形成される前記熱変換層の面積より大きい、
ことを特徴とする請求項１乃至４のいずれか１項に記載の造形物の製造方法。
【請求項６】
基材と、
前記基材の一方の面に形成され、熱膨張性材料を含む熱膨張層と、
を備え、
前記熱膨張層は、前記基材が形成されている面と反対の面に熱による膨張により凸部が形成されており、
前記基材は、前記熱膨張層の膨張に伴い他方の面に凹部が形成されており、
前記基材の膨張前と膨張後の高さの変形量は、前記熱膨張層の膨張前と膨張後の高さの増加量より大きい、
ことを特徴とする表面シート。
【請求項７】
前記熱膨張層の高さの増加量より前記基材の高さの変形量が多くなるように、前記基材の厚さ及び前記熱膨張層の厚さが設定されており、
前記基材の厚みは、前記熱膨張層の厚みと同じ、又は前記熱膨張層より厚い、
ことを特徴とする請求項６に記載の表面シート。
【請求項８】
前記基材は、熱可塑性樹脂から形成される、
ことを特徴とする請求項６又は７に記載の表面シート。
【請求項９】
前記凹部の面積は、前記凸部の面積より大きい、
ことを特徴とする請求項６乃至８のいずれか１項に記載の表面シート。
【請求項１０】
請求項６乃至９のいずれか１項に記載の表面シートと、
前記凹部に設けられる上部コンタクト部と、
回路基板上の、前記上部コンタクト部に対応する位置に設けられる下部コンタクト部と、
を備える、
ことを特徴とするスイッチ。
【手続補正２】
【補正対象書類名】明細書
【補正対象項目名】発明の名称
【補正方法】変更
【補正の内容】
【発明の名称】造形物の製造方法、表面シート及びスイッチ
【手続補正３】
【補正対象書類名】明細書
【補正対象項目名】０００１
【補正方法】変更
【補正の内容】
【０００１】
本発明は、造形物の製造方法、表面シート及びスイッチに関する。
【手続補正４】
【補正対象書類名】明細書
【補正対象項目名】０００６
【補正方法】変更
【補正の内容】
【０００６】
本発明は、上記実情に鑑みてなされたものであり、簡易に成形することが可能な造形物の製造方法、表面シート及びスイッチを提供することを目的とする。
【手続補正５】
【補正対象書類名】明細書
【補正対象項目名】０００７
【補正方法】変更
【補正の内容】
【０００７】
上記目的を達成するため、第１の観点に係る造形物の製造方法は、
基材の一方の面に熱膨張性材料を含む熱膨張層が形成された樹脂成形シートを用い、前記樹脂成形シートの一方の面に電磁波を熱に変換する熱変換層を形成する第１の形成工程と、
前記熱変換層が形成された側から前記電磁波を照射し、前記熱膨張層を膨張させて凸部を形成する第１の膨張工程と、
前記凸部にカラーインク層を形成する第２の形成工程と、
前記基材の一方の面と反対の面に、前記熱変換層を形成する第３の形成工程と、
前記反対の面に形成された前記熱変換層に対して前記電磁波を照射し、前記熱膨張層を膨張させて当該反対の面に凹部を形成する第２の膨張工程と、
を備え、
前記第２の膨張工程において、前記基材を前記熱膨張層の膨張に追従して変形させ、前記基材をエンボス状に変形させる、
ことを特徴とする。
【手続補正６】
【補正対象書類名】明細書
【補正対象項目名】０００８
【補正方法】変更
【補正の内容】
【０００８】
上記目的を達成するため、第２の観点に係る表面シートは、
基材と、
前記基材の一方の面に形成され、熱膨張性材料を含む熱膨張層と、
を備え、
前記熱膨張層は、前記基材が形成されている面と反対の面に熱による膨張により凸部が形成されており、
前記基材は、前記熱膨張層の膨張に伴い他方の面に凹部が形成されており、
前記基材の膨張前と膨張後の高さの変形量は、前記熱膨張層の膨張前と膨張後の高さの増加量より大きい、
ことを特徴とする。
【手続補正７】
【補正対象書類名】明細書
【補正対象項目名】０００９
【補正方法】変更
【補正の内容】
【０００９】
上記目的を達成するため、第３の観点に係るスイッチは、
第２の観点に係る表面シートと、
前記凹部に設けられる上部コンタクト部と、
回路基板上の、前記上部コンタクト部に対応する位置に設けられる下部コンタクト部と、
を備える、
ことを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明によれば、簡易に成形することが可能な造形物の製造方法、表面シート及びスイッチを提供することができる。
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
基材の一方の面上に熱膨張層を形成する第１の工程と、
前記熱膨張層上に、インクを受容する第１のインク受容層を形成する第２の工程と、
前記第１のインク受容層上にフィルムを設ける第３の工程と、を有し、
前記フィルム上には、前記第１のインク受容層とは異なる質感の第２のインク受容層が形成されている、
ことを特徴とする熱膨張性シートの製造方法。
【請求項２】
前記第２のインク受容層は、前記第３の工程に先立って前記フィルム上に形成され、
前記第３の工程は、前記第２のインク受容層が前記第１のインク受容層と対向しないように当該フィルムを設ける、
ことを特徴とする請求項１に記載の熱膨張性シートの製造方法。
【請求項３】
前記第２のインク受容層を、光沢のある質感を呈する材料を用いて形成する、
ことを特徴とする請求項１又は２に記載の熱膨張性シートの製造方法。
【請求項４】
前記第２のインク受容層は、前記インクを膨潤させて受容し、前記フィルムとの接着性を良好にする材料からなる、
ことを特徴とする請求項１乃至３のいずれか一項に記載の熱膨張性シートの製造方法。
【請求項５】
前記第１のインク受容層を、マットな質感を呈する材料を用いて形成する、
ことを特徴とする請求項１乃至４のいずれか一項に記載の熱膨張性シートの製造方法。
【請求項６】
前記フィルムは、前記第１のインク受容層上に剥離可能に設けられている、
ことを特徴とする請求項１乃至５のいずれか一項に記載の熱膨張性シートの製造方法。
【請求項７】
基材の一方の面上に設けられた熱膨張層と、前記熱膨張層上に設けられ、インクを受容する第１のインク受容層と、前記第１のインク受容層上に設けられたフィルムと、前記フィルム上に設けられ、インクを受容する第２のインク受容層と、を備え、前記第１のインク受容層が、前記第２のインク受容層とは異なる質感を呈する材料を用いて形成される熱膨張性シートを用い、
前記フィルムの少なくとも一部を剥離し、前記第１のインク受容層を露出する剥離工程と、
露出された前記第１のインク受容層に第１の画像を形成する第１の画像形成工程と、
前記第１の画像形成工程と同時に前記第２のインク受容層上に第２の画像を形成する第２の画像形成工程と、
前記熱膨張層の少なくとも一部を加熱して当該熱膨張層を膨張させる工程と、を有し、
前記剥離工程では、前記第２の画像が印刷される又は印刷された領域が残存するように前記フィルムを剥離する、
ことを特徴とする造形物の製造方法。
【請求項８】
前記基材の他方の面に、電磁波を熱に変換する第１の電磁波熱変換層を形成する第１の電磁波熱変換層形成工程と、
前記剥離工程に先立って、前記第２のインク受容層の上に電磁波を熱に変換する第２の電磁波熱変換層を形成する第２の電磁波熱変換層形成工程と、
前記第２の電磁波熱変換層形成工程の後に、前記第２の電磁波熱変換層に電磁波を照射して加熱することで、前記熱膨張層の少なくとも一部を膨張させる工程と、を有する、
ことを特徴とする請求項７に記載の造形物の製造方法。
【手続補正２】
【補正対象書類名】明細書
【補正対象項目名】発明の名称
【補正方法】変更
【補正の内容】
【発明の名称】熱膨張性シートの製造方法及び造形物の製造方法
【手続補正３】
【補正対象書類名】明細書
【補正対象項目名】０００１
【補正方法】変更
【補正の内容】
【０００１】
本発明は、吸収した熱量に応じて発泡して膨張する熱膨張性シートの製造方法及び造形物の製造方法に関する。
【手続補正４】
【補正対象書類名】明細書
【補正対象項目名】０００６
【補正方法】変更
【補正の内容】
【０００６】
本発明は、上記実情に鑑みてなされたものであり、質感が異なる造形物が形成可能な熱膨張性シートの製造方法及び造形物の製造方法を提供することを目的とする。
【手続補正５】
【補正対象書類名】明細書
【補正対象項目名】０００７
【補正方法】変更
【補正の内容】
【０００７】
本発明の第１の観点に係る熱膨張性シートの製造方法は、
基材の一方の面上に熱膨張層を形成する第１の工程と、
前記熱膨張層上に、インクを受容する第１のインク受容層を形成する第２の工程と、
前記第１のインク受容層上にフィルムを設ける第３の工程と、を有し、
前記フィルム上には、前記第１のインク受容層とは異なる質感の第２のインク受容層が形成されている、
ことを特徴とする。
【手続補正６】
【補正対象書類名】明細書
【補正対象項目名】０００８
【補正方法】変更
【補正の内容】
【０００８】
本発明の第２の観点に係る造形物の製造方法は、
基材の一方の面上に設けられた熱膨張層と、前記熱膨張層上に設けられ、インクを受容する第１のインク受容層と、前記第１のインク受容層上に設けられたフィルムと、前記フィルム上に設けられ、インクを受容する第２のインク受容層と、を備え、前記第１のインク受容層が、前記第２のインク受容層とは異なる質感を呈する材料を用いて形成される熱膨張性シートを用い、
前記フィルムの少なくとも一部を剥離し、前記第１のインク受容層を露出する剥離工程と、
露出された前記第１のインク受容層に第１の画像を形成する第１の画像形成工程と、
前記第１の画像形成工程と同時に前記第２のインク受容層上に第２の画像を形成する第２の画像形成工程と、
前記熱膨張層の少なくとも一部を加熱して当該熱膨張層を膨張させる工程と、を有し、
前記剥離工程では、前記第２の画像が印刷される又は印刷された領域が残存するように前記フィルムを剥離する、
ことを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明によれば、質感が異なる造形物が形成可能な熱膨張性シートの製造方法及び造形物の製造方法を提供することができる。
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
少なくとも、顔料を含む絵柄層（１分子中に少なくとも２個以上のアクリロイル基を有する化合物を含むものを除く。）と、ベタ層と、基材層とがこの順に積層された積層体からなる加飾シートであって、
前記積層体において、前記絵柄層は、部分的に積層されており、
前記絵柄層に含まれるバインダー樹脂が、アクリル系樹脂を８０質量％以上含み、前記アクリル系樹脂は、アクリル樹脂及びアクリルポリオール樹脂の少なくとも一方であり、
前記ベタ層に含まれるバインダー樹脂が、アクリル系樹脂を８０質量％以上含み、前記アクリル系樹脂は、アクリル樹脂及びアクリルポリオール樹脂の少なくとも一方である、三次元成形用加飾シート。
【請求項２】
前記顔料が、金属顔料、パール顔料、及び酸化チタン顔料からなる群から選択された少なくとも１種である、請求項１に記載の三次元成形用加飾シート。
【請求項３】
塩素系樹脂を３０質量％以上含むバインダー樹脂とを含む樹脂層がさらに積層されている、請求項１または２に記載の三次元成形用加飾シート。
【請求項４】
前記樹脂層が、有機顔料及び無機顔料の少なくとも一方の顔料を含む、請求項３に記載の三次元成形用加飾シート。
【請求項５】
前記絵柄層及び前記ベタ層が、基材層の上に積層されている、請求項１〜４のいずれかに記載の三次元成形用加飾シート。
【請求項６】
最表面に表面保護層をさらに備える、請求項１〜５のいずれかに記載の三次元成形用加飾シート。
【請求項７】
前記表面保護層の厚みが、３０μｍ以下である、請求項６に記載の三次元成形用加飾シート。
【請求項８】
転写用基材の上に、アクリル樹脂を８０質量％以上含むバインダー樹脂及び顔料を含む絵柄層を部分的に積層する工程と、アクリル樹脂を８０質量％以上含むバインダー樹脂を含むベタ層を積層する工程とを行い、転写シートを作製する、転写シート作製工程と、
前記転写シートに積層された前記絵柄層及びベタ層を基材上に転写する転写工程と、
を備える、三次元成形用加飾シートの製造方法。
【請求項９】
前記転写工程の後、さらに表面保護層を積層する工程を備える、請求項８に記載の三次元成形用加飾シートの製造方法。
【請求項１０】
少なくとも、成形樹脂層の上に、顔料を含む絵柄層（１分子中に少なくとも２個以上のアクリロイル基を有する化合物を含むものを除く。）と、ベタ層と、基材層とがこの順に積層された積層体からなる加飾樹脂成形品であって、
前記積層体において、前記絵柄層は、部分的に積層されており、
前記絵柄層に含まれるバインダー樹脂が、アクリル系樹脂を８０質量％以上含み、前記アクリル系樹脂は、アクリル樹脂及びアクリルポリオール樹脂の少なくとも一方であり、
前記ベタ層に含まれるバインダー樹脂が、アクリル系樹脂を８０質量％以上含み、前記アクリル系樹脂は、アクリル樹脂及びアクリルポリオール樹脂の少なくとも一方である、加飾樹脂成形品。
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
三次元的な物体（２）を製造するための装置（１）であって、前記物体の各断面に対応する箇所での放射によって凝固化可能な粉体状の構造材料（３）の層を連続的に凝固化することによって、前記三次元的な物体（２）を製造するための装置（１）であって、
内部にプロセスチャンバ（８）及び少なくとも１つの構造チャンバ（５，６）が配置されたハウジング（７）であって、前記少なくとも１つの構造チャンバ（５，６）がその内部で前記物体（２）を支持するための支持装置（９）を有するハウジング（７）と、
前記構造材料（３）を貯蔵するための配量チャンバ（４）と、
前記構造材料（３）を塗布するための積層装置（１０）と、
塗布された前記構造材料（３）の層を照射するための照射装置（１１）と、
を備える装置（１）であって、
前記積層装置（１０）が、少なくとも前記構造チャンバ（５，６）の上で往復走行可能に支持されており、このために、前記積層装置（１０）が、少なくとも一方側でガイド装置において支持されており、前記ガイド装置及び／又は前記プロセスチャンバ（８）の内部で走行可能な別の要素のための別のガイド装置が、前記プロセスチャンバ（８）の天井領域（１４）に交換可能に配置された懸架された構台（１５，２５）として形成されていることを特徴とする装置。
【請求項２】
前記構台（１５，２５）が、移動する異なる要素のための、互いに重なって配置されているか、又は互いに横方向で隣り合って配置された、複数のガイド領域を有していることを特徴とする、請求項１に記載の装置。
【請求項３】
前記構台（１５，２５）が、前記プロセスチャンバ（８）の前記天井領域（１４）の下方で走行可能に配置されていることを特徴とする、請求項１又は２に記載の装置。
【請求項４】
前記構台（１５，２５）が、前記プロセスチャンバ（８）の開口部を介して引き出しのように外方へ走出可能に形成されていることを特徴とする、請求項３に記載の装置。
【請求項５】
前記構台（１５，２５）が、前記プロセスチャンバ（８）の前記天井領域（１４）の下方で、少なくとも部分的に旋回可能に配置されていることを特徴とする、請求項１〜４のいずれか１項に記載の装置。
【請求項６】
走行可能な異なる要素のための１つ又は複数の交換／取付モジュール（１９）が、前記構台（１５，２５）に配置されていることを特徴とする、請求項１〜５のいずれか１項に記載の装置。
【請求項７】
前記構台（１５，２５）の上方にある、前記プロセスチャンバ（８）の前記天井領域（１４）が、上方へ折り曲げることができるように、又は取り外すことができるように形成されていることを特徴とする、請求項１〜６のいずれか１項に記載の装置。
【請求項８】
前記構台（１５，２５）が、前記プロセスチャンバ（８）の開放された前記天井領域（１４）を介して外方へ折り曲げ可能に支持されていることを特徴とする、請求項７に記載の装置。
【請求項９】
三次元的な物体（２）を製造するための装置（１）であって、前記物体の各断面に対応する箇所での放射によって凝固化可能な粉体状の構造材料（３）の層を連続的に凝固化することによって、前記三次元的な物体（２）を製造するための装置（１）であって、
内部にプロセスチャンバ（８）及び少なくとも１つの構造チャンバ（５，６）が配置されたハウジング（７）であって、前記少なくとも１つの構造チャンバ（５，６）がその内部で前記物体（２）を支持するための支持装置（９）を有するハウジング（７）と、
前記構造材料（３）を貯蔵するための配量チャンバ（４）と、
前記構造材料（３）を塗布するための積層装置（１０）と、
塗布された前記構造材料（３）の層を照射するための照射装置（１１）と、
を備える装置（１）であって、
前記積層装置（１０）が、少なくとも前記構造チャンバ（５，６）の上で往復走行可能に支持されており、このために、前記積層装置（１０）が、少なくとも一方側でガイド装置において支持されており、前記ガイド装置及び／又は前記プロセスチャンバ（８）の内部で走行可能な別の要素のための別のガイド装置が、前記プロセスチャンバ（８）の天井領域（１４）に走行可能に配置された懸架された構台（１５，２５）として形成されていることを特徴とする装置。
【請求項１０】
前記構台（１５，２５）全体又は前記構台の一部が、水平でない位置に配置されているか、又はこのような位置へもたらされることが可能であることを特徴とする、請求項９に記載の装置。
【請求項１１】
前記構台が基礎構台（２５）を構成しており、前記基礎構台には、１つ又は複数のサブ構台又は交換構台（２６）が配置されていることを特徴とする、請求項９又は１０に記載の装置。
【請求項１２】
前記少なくとも１つのサブ構台又は交換構台（２６）が、走行可能に、旋回可能に、又は傾動可能に、前記基礎構台（２５）に配置されていることを特徴とする、請求項１１に記載の装置。
【請求項１３】
前記サブ構台又は交換構台（２６）が、構造空間の面にわたって分配された又は分配可能なグループで配置されていることを特徴とする、請求項１１又は請求項１２のいずれか１項に記載の装置。
【請求項１４】
複数の前記構台（１５，２５）のガイド要素が、前記ガイド要素においてガイドされて前記プロセスチャンバ（８）内で往復走行可能な要素が前記プロセスチャンバ（８）の全領域にわたって走行可能であるように、互いの中へ配置されていることを特徴とする、請求項９〜１３のいずれか１項に記載の装置。
【請求項１５】
前記構台（１５，２５）及び／又は前記少なくとも１つの交換構台（２６）が、モータによって調整可能であることを特徴とする、請求項９〜１４のいずれか１項に記載の装置。